(57)【要約】【課題】マナーモード設定制御を通信動作開始時に自動的に実行可能な手段を提供する。【解決手段】ＧＰＳ機能付き携帯電話機３１は、音声着呼、音声発呼、メール着信、メール発信、インターネット接続のための通信動作を実行する際に、ＧＰＳ受信信号から得られた位置情報を、基地局３２へ送信する通信チャネル確立要求信号あるいは呼設定信号等の上りデータの中にこの位置情報を付加して送信する。基地局３２経由でこの位置情報を受信したメインサーバ３３は、位置情報に基づいてマナーモードの設定有無を判定し、該判定したマナーモードの設定有無情報を通信チャネル割り当て信号あるいは呼設定受付信号等の下りデータに付加して、基地局３２経由でＧＰＳ機能付き携帯電話機３１へ送信する。ＧＰＳ機能付き携帯電話機３１は受信した下りデータからマナーモードの設定有無情報を抽出してマナーモードの設定制御を行う。【選択図】図１
2006253938.tif 000002
【特許請求の範囲】
【請求項１】
ＧＰＳ受信機能と、通信動作実行時に基地局に送信する上りデータの中に電話番号情報及び前記ＧＰＳ受信機能により取得した位置情報を付加する機能と、前記上りデータに対する基地局からの下りデータに付加されたマナーモード制御情報を抽出する機能と、該抽出したマナーモード制御情報に基づいて当該携帯電話機のマナーモードの設定制御を行う機能を有するＧＰＳ受信機能付携帯電話機と、
通信ネットワークに接続され、前記基地局経由で受信した前記ＧＰＳ受信機能付携帯電話機からの前記上りデータに付加された電話番号情報及び位置情報を抽出してマナーモード設定有無変換サーバへ送出する機能と、該マナーモード設定有無変換サーバから受信した前記ＧＰＳ受信機能付携帯電話機の位置情報に対応するマナーモード設定情報を前記下りデータに付加して前記基地局経由で前記ＧＰＳ受信機能付携帯電話機へ送信する機能を有するメインサーバと、
通信ネットワークに接続され、前記メインサーバから受信した前記ＧＰＳ受信機能付携帯電話機の位置情報に基づいてマナーモード設定の有無を判定し、判定結果を前記マナーモード設定情報として前記メインサーバへ送信する機能を有する前記マナーモード設定有無変換サーバと、
を備えていることを特徴とするマナーモード自動設定システム。
【請求項２】
前記通信動作は、音声着信動作、音声発信動作、メール着信動作、メール発信動作、およびインターネット接続動作のいずれかであることを特徴とする請求項１に記載のマナーモード自動設定システム。
【請求項３】
前記上りデータは通信チャネル確立要求信号または呼設定信号であり、前記下りデータは通信チャネル割り当て信号あるいは呼設定受付信号であることを特徴とする請求項１または２に記載のマナーモード自動設定システム。
【請求項４】
請求項１〜３のいずれかに記載のマナーモード自動設定システムにおいて用いられるＧＰＳ受信機能付携帯電話機であって、
ＧＰＳ受信機能と、通信動作実行時に基地局に送信する上りデータの中に電話番号情報及び前記ＧＰＳ受信機能により取得した位置情報を付加する機能と、前記上りデータに対する基地局からの下りデータに付加されたマナーモード制御情報を抽出する機能と、該抽出したマナーモード制御情報に基づいて当該携帯電話機のマナーモードの設定制御を行う機能を有していることを特徴とするＧＰＳ受信機能付携帯電話機。
【請求項５】
前記上りデータは基地局へ送信する通信チャネル確立要求信号または呼設定信号であり、前記下りデータは基地局から受信した通信チャネル割り当て信号あるいは呼設定受付信号であることを特徴とする請求項４に記載のＧＰＳ受信機能付携帯電話機。
【請求項６】
ネットワークに接続され、請求項１〜３のいずれかに記載のマナーモード自動設定システムにおいて用いられるメインサーバであって、
前記基地局経由で受信した前記ＧＰＳ受信機能付携帯電話機からの前記上りデータに付加された電話番号情報及び位置情報を抽出してマナーモード設定有無変換サーバへ送出する機能と、該マナーモード設定有無変換サーバから受信した前記ＧＰＳ受信機能付携帯電話機の位置情報に対応するマナーモード設定情報を前記下りデータに付加して前記基地局経由で前記ＧＰＳ受信機能付携帯電話機へ送信する機能を有していることを特徴とするメインサーバ。
【発明の詳細な説明】
【技術分野】
【０００１】
本発明は、携帯電話機にマナーモードを自動的に設定するシステムに関し、特に携帯電話機がＧＰＳ受信機能を備えている場合に好適なマナーモード自動設定システムに関する。
【背景技術】
【０００２】
携帯電話機を利用する人の中には、静かにすべき公共の場所で周囲に迷惑になるような使い方をする人がいる。マナーを守ることが叫ばれているが守られていないのが実情である。携帯電話機にはマナーモードを手動で設定する機能がついているが、静かにすべき公共の場所でマナーモードにすることを忘れて着信音を鳴らしてしまうというケースもあり、人の手による設定では必ずしも設定すべきときに設定されないという欠点を有していた。
【０００３】
また近年、ＧＰＳ機能が搭載された携帯電話機が普及してきており、ユーザの位置情報を正確に知ることができるようになってきている。このＧＰＳ機能が備えられた携帯電話機を利用し、ＧＰＳ機能付き携帯電話機がＧＰＳ衛星から受信した位置情報をもとに、マナーモード状態にする必要がある場所かどうか判断しマナーモード設定有無情報を当該携帯電話機に送信する機能を持つサーバを備え、サーバからマナーモード設定有無情報を受信した当該携帯電話機がマナーモードを自動設定する方法も提案されている（特許文献１〜２等参照）。
【０００４】
例えば特許文献１では、移動体通信端末側にＧＰＳ受信部を備え、移動体通信端末が一定時間毎に受信したＧＰＳ信号を通信ネットワークに接続された位置検索サーバへ送信し、位置検索サーバは、移動体通信端末から受信したＧＰＳ信号から当該移動体通信端末の位置を求めるとともに、求めた位置情報により制御区域データベースを検索し、求めた位置情報と当該位置における端末制御情報とを移動体通信端末側に送信することにより、移動体通信端末のマナーモード設定等の機能を制御している。
【０００５】
また特許文献２では、ＧＰＳ衛星からＧＰＳ情報を位置情報として受信する携帯電話機と、通信禁止エリアの情報を有する通信制御サーバとを含み、携帯電話機が位置情報から取得した端末位置情報を通信制御サーバに送信し、通信制御サーバは、携帯電話機から受信した端末位置情報と予め記憶している通信禁止エリア情報とに基づいて、携帯電話機による通信を許可あるいは禁止するための通信制御情報を生成して、携帯電話機に送信している。
【０００６】
【特許文献１】特開２００３−２０４５７６号公報
【特許文献２】特開２００４−１８７０８４号公報
【発明の開示】
【発明が解決しようとする課題】
【０００７】
上記従来のＧＰＳ機能付き携帯電話機を利用したマナーモード自動設定システムにおいては、携帯電話機の使用状態とは無関係に、携帯電話機は周期的にＧＰＳ衛星からの信号を受信し、該受信した情報を通信ネットワークに接続された位置検索サーバへ送信することにより、マナーモード設定情報を位置検索サーバから受信してマナーモードの設定制御を行っているため、新たに位置情報のみを定期的に位置検索サーバへ送信する通信手段が必要となり、また、そのための通信による電力消費も無視できない。
【０００８】
また、マナーモード設定領域外からマナーモード設定領域内に移行した直後、携帯電話機が位置情報から取得した端末位置情報を通信制御サーバに送信する前に通信を開始すると、マナーモードが設定されないまま通信が続行される恐れがある。それを防ぐには、携帯電話機は受信ＧＰＳ信号から取得した端末位置情報を短い周期で頻繁に通信制御サーバに送信しなければならず、電力消費を一層増加させる要因となる。
【０００９】
本発明の目的は、上記従来のＧＰＳ機能付き携帯電話機を利用したマナーモード自動設定システムにおける問題点に鑑み、受信ＧＰＳ信号から取得した端末位置情報のみを定期的に位置検索サーバへ送信する通信手段を不要とし、そのための通信による消費電力を削減可能なマナーモード自動設定システムを提供することにある。
【課題を解決するための手段】
【００１０】
本発明のＧＰＳ受信機能付携帯電話機におけるマナーモード自動設定システムは、ＧＰＳ受信機能を有するとともに、通信動作実行時に基地局に送信する上りデータの中に電話番号情報及び前記ＧＰＳ受信機能により取得した位置情報を付加する機能と、前記上りデータに対する基地局からの下りデータに付加されたマナーモード制御情報を抽出する機能と、該抽出したマナーモード制御情報に基づいて当該携帯電話機のマナーモードの設定制御を行う機能を有するＧＰＳ受信機能付携帯電話機と、通信ネットワークに接続され、前記基地局経由で受信した前記ＧＰＳ受信機能付携帯電話機からの前記上りデータに付加された電話番号情報及び位置情報を抽出してマナーモード設定有無変換サーバへ送出する機能と、該マナーモード設定有無変換サーバから受信した前記ＧＰＳ受信機能付携帯電話機の位置情報に対応するマナーモード設定情報を前記下りデータに付加して前記基地局経由で前記ＧＰＳ受信機能付携帯電話機へ送信する機能を有するメインサーバと、通信ネットワークに接続され、前記メインサーバから受信した前記ＧＰＳ受信機能付携帯電話機の位置情報に基づいてマナーモード設定の有無を判定し、判定結果を前記マナーモード設定情報として前記メインサーバへ送信する機能を有する前記マナーモード設定有無変換サーバと、を備えていることを特徴とする。
【００１１】
前記通信動作としては、例えば、音声着信動作、音声発信動作、メール着信動作、メール発信動作、およびインターネット接続動作のいずれかに適用可能である。
【００１２】
また、前記上りデータとしては、通信チャネル確立要求信号または呼設定信号を使用することができ、前記下りデータとしては、通信チャネル割り当て信号あるいは呼設定受付信号を使用することができる。
【００１３】
また、上記マナーモード自動設定システムにおいて用いられる本発明のＧＰＳ受信機能付携帯電話機は、ＧＰＳ受信機能と、通信動作実行時に基地局に送信する上りデータの中に電話番号情報及び前記ＧＰＳ受信機能により取得した位置情報を付加する機能と、前記上りデータに対する基地局からの下りデータに付加されたマナーモード制御情報を抽出する機能と、該抽出したマナーモード制御情報に基づいて当該携帯電話機のマナーモードの設定制御を行う機能を有していることを特徴とする。
【００１４】
また、上記マナーモード自動設定システムにおいて用いられる本発明のメインサーバは、前記基地局経由で受信した前記ＧＰＳ受信機能付携帯電話機からの前記上りデータに付加された電話番号情報及び位置情報を抽出してマナーモード設定有無変換サーバへ送出する機能と、該マナーモード設定有無変換サーバから受信した前記ＧＰＳ受信機能付携帯電話機の位置情報に対応するマナーモード設定情報を前記下りデータに付加して前記基地局経由で前記ＧＰＳ受信機能付携帯電話機へ送信する機能を有していることを特徴とする。
【発明の効果】
【００１５】
本発明によれば、ＧＰＳ受信機能付携帯電話機が基地局経由で通信を実行する際に、電話番号情報と前記ＧＰＳ受信機能により取得した位置情報を、基地局経由で通信全般を統括するメインサーバに送信する上りデータ（通信チャネル確立要求信号あるいは呼設定信号等）に付加し、該上りデータに応答するメインサーバからの下りデータ（通信チャネル割り当て信号あるいは呼設定受付信号等）に付加された当該位置情報に対するマナーモード設定情報を受信して当該ＧＰＳ受信機能付携帯電話機のマナーモード設定制御を行っているので、ＧＰＳ受信機能付携帯電話機が新たに位置情報のみを定期的に位置検索サーバへ送信する通信手段は不要であり、また、そのための通信による電力消費も削減可能である。
【００１６】
また、マナーモード設定制御は、通信動作開始時のみ実行されるので、通信とは無関係に不必要にマナーモード設定制御動作が行われることはなく、無駄な電力消費を削減できる。さらに、マナーモード設定領域外からマナーモード設定領域内に移行した直後であっても少なくとも通信が開始されるとマナーモードへの設定制御が行われるので、確実にマナーモードに設定することができる。
【発明を実施するための最良の形態】
【００１７】
図１は、本発明の実施形態を示すシステム構成図であり、ＧＰＳ機能が備えられた携帯電話機３１と、ＧＰＳ機能付き携帯電話機３１と無線回線で接続される基地局３２と、ＧＰＳ機能付き携帯電話機３１が位置情報を取得するためのＧＰＳ衛星３５と、ネットワークに接続されて通信全般を統括するとともに、基地局３２を介してＧＰＳ機能付き携帯電話機３１からの上りデータに付加された位置情報を受信し、この位置情報から当該ＧＰＳ機能付き携帯電話機３１が位置している領域におけるマナーモード設定有無情報を取得して、ＧＰＳ機能付き携帯電話機３１へマナーモード設定有無情報を送信するメインサーバ３３と、メインサーバ３３から指定された位置情報をもとにマナーモード設定有無情報を算出する、マナーモード設定有無変換サーバ３４から構成される。
【００１８】
図２は、本実施形態における携帯電話機の動作例を示すフローチャートであり、図３は、本実施形態におけるサーバの動作例を示すフローチャートである。また、図４は、着信動作時における本実施形態と関連する伝送制御手順の例を示している。
【００１９】
以下、図１〜図４を参照して本実施形態の動作について説明する。なお、本発明で使用するマナーモード設定とは、例えばＧＰＳ機能付き携帯電話機３１から着信音あるいはボタン確認音などの鳴動する音を消すことを意味する。
【００２０】
ＧＰＳ機能付き携帯電話機３１は、ＧＰＳ衛星３５からの信号を受信することにより位置情報を取得し、通信動作を開始する際に基地局３２を介してメインサーバ３３に送信する上りデータに対して、この取得した位置情報を付加して送信する機能を有している。ここでＧＰＳ（Global Positioning System ）とは、人工衛星からの電波を基にして利用者の位置情報を緯度ならびに経度で提供するものであり、ＧＰＳ機能付き携帯電話機３１が基地局３２を介してメインサーバ３３に送信する位置情報とは、緯度及び経度情報とする。
【００２１】
従って本実施形態においては、ＧＰＳ機能付き携帯電話機３１が位置情報を基地局経由でメインサーバ３３に送信するタイミングは、音声着呼、音声発呼、メール着信、メール発信、インターネット接続時等に限られ、これらの通信動作を実行する際に、基地局３２へ送信する通信チャネル確立要求信号あるいは呼設定信号等の上りデータの中にこの位置情報を付加して送信する。こうすることで、既存の通信網システムに対して新たな通信手段を必要とせず、つまり、新たに位置情報のみを定期的に送信する通信手段などを考える必要はなく、既存の通信網システムを使用することが可能となる。
【００２２】
ＧＰＳ機能付き携帯電話機３１内に設けられ、該携帯電話機が備えている各種機能を実行制御する制御部は、キー入力あるいは無線部からの受信入力等を監視している。そして、音声着信があると(Ｓ２１、ＹＥＳ)、着信動作を実行し、基地局３２への上りデータの中に電話番号情報及び位置情報を付加する(Ｓ２２)。例えば、ＰＤＣでの通信網システムで言えば、着信動作時の上り信号であるＡＬＥＲＴ信号（通信チャネル確立要求信号）やＣＯＮＮＥＣＴ信号（呼設定信号）に付加することで、基地局３２へ情報送信できる。
【００２３】
基地局３２経由で電話番号情報及び位置情報が付加された上り信号を受信したメインサーバ３３は、受信した位置情報をマナーモード設定有無変換サーバ３４に送信し、マナーモード設定有無変換サーバ３４からマナーモード設定有無情報を取得する（Ｓ３２）。マナーモード設定有無変換サーバ３４は、位置情報に応じたマナーモード設定有無情報をデータベースとして持っており指定された位置情報に応じてマナーモード設定有無情報を出力する。このデータベースは随時情報の修正及び追加、削除が可能である。
【００２４】
メインサーバ３３は取得したマナーモード設定有無情報を、基地局３２経由でＧＰＳ機能付き携帯電話機３１への下りデータの中に付加し送信する（Ｓ３３）。例えば、ＰＤＣでの通信網システムで言えば、着信動作時の下り信号であるＣＯＮＮＥＣＴ  ＡＣＫ信号（呼設定受付信号）に付加することでＧＰＳ機能付き携帯電話機３１へ情報送信できる。
【００２５】
ＧＰＳ機能付き携帯電話機３１は、基地局３２からの下り信号に付加されたマナーモード設定有無情報を抽出し、マナーモード設定有無情報に応じたマナーモード設定を行う(Ｓ２３)。即ち、マナーモード設定有りの場合は、ＧＰＳ機能付き携帯電話機３１内部のマナーモード設定をＯＮし、マナーモード設定無しの場合は、ＧＰＳ機能付き携帯電話機３１内部のマナーモード設定をＯＦＦする。
【００２６】
マナーモード設定がＯＮの場合には、例えば、ボタン確認音や着信音などＧＰＳ機能付き携帯電話機３１からの鳴動音を消去する制御が実行される。従って、マナーモードが設定されていない状態のときに音声着信があっても、着信音が鳴動する前に自動的にマナーモードに設定されるので、マナーモードに設定し忘れて着信音を鳴らしてしまうことはなくなる。
【００２７】
なお、本実施形態では、一旦マナーモードに設定されると、次回の通信動作が実行されるまでは、今回の通信動作の際に設定されたマナーモード設定有無のいずれかの状態が継続することになるが、マナーモードに設定されていなくても次回の通信動作が実行時には、マナーモード設定のための制御が自動的に行われるので、今回の通信動作による通信の終了処理が実行されたとき、制御部によりＧＰＳ機能付き携帯電話機３１のマナーモード設定状態を解除するように動作させることもできる。
【００２８】
次に、入力キーから音声発信（発呼）操作が行われた場合(Ｓ２４、ＹＥＳ)、ＧＰＳ機能付き携帯電話機３１の制御部は発信動作を実行し、基地局３２への上りデータの中に電話番号情報及び位置情報を付加する(Ｓ２５)。例えば、ＰＤＣでの通信網システムで言えば、発信動作時の上り信号であるＳＥＴＵＰ信号に電話番号情報及び位置情報を付加することで、基地局３２へ情報送信される。
【００２９】
基地局３２経由で電話番号情報及び位置情報が付加された上り信号を受信したメインサーバ３３は、受信した位置情報をマナーモード設定有無変換サーバ３４に送信し、マナーモード設定有無変換サーバ３４からマナーモード設定有無情報を取得する（Ｓ３２）。メインサーバ３３は取得したマナーモード設定有無情報を、ＧＰＳ機能付き携帯電話機３１への下りデータの中に付加し送信する（Ｓ３３）。例えば、ＰＤＣでの通信網システムで言えば、発信動作時の下り信号であるＡＬＥＲＴ信号（通信チャネル割当て信号）やＣＯＮＮＥＣＴ  ＡＣＫ信号（呼設定受付信号）に付加することでＧＰＳ機能付き携帯電話機３１へ情報送信できる。
【００３０】
ＧＰＳ機能付き携帯電話機３１は、マナーモード設定有無情報に応じたマナーモード設定を行う(Ｓ２６)。マナーモード設定有りの場合は、ＧＰＳ機能付き携帯電話機３１内部のマナーモード設定をＯＮし、マナーモード設定無しの場合は、ＧＰＳ機能付き携帯電話機３１内部のマナーモード設定をＯＦＦする。なお音声発信の場合、前回の通信動作実行時におけるマナーモード設定がマナーモード設定ＯＦＦであると、入力キーによる相手電話番号入力操作時のキーボタン確認音が発生するが、発信動作は着信と異なってユーザの意思により実行可能であるので、ボタン確認音の発生が周囲に迷惑になるような場合には必要に応じてユーザ手動でマナーモードに設定することで対処可能である。
【００３１】
次に、メール着信の場合(Ｓ２７、ＹＥＳ)、ＧＰＳ機能付き携帯電話機３１の制御部はメール着信動作を実行し、基地局３２への上りデータの中に位置情報を付加する(Ｓ２８)。位置情報が付加された上り信号を受信したメインサーバ３３は、受信した位置情報をマナーモード設定有無変換サーバ３４に送信し、マナーモード設定有無変換サーバ３４からマナーモード設定有無情報を取得する（Ｓ３２）。
【００３２】
メインサーバ３３は取得したマナーモード設定有無情報を、ＧＰＳ機能付き携帯電話機３１への下りデータの中に付加し送信する（Ｓ３３）。ＧＰＳ機能付き携帯電話機３１は、マナーモード設定有無情報に応じたマナーモード設定を行う(Ｓ２９)。マナーモード設定有りの場合は、ＧＰＳ機能付き携帯電話機３１内部のマナーモード設定をＯＮし、マナーモード設定無しの場合は、ＧＰＳ機能付き携帯電話機３１内部のマナーモード設定をＯＦＦする。
【００３３】
次に、入力キーからメール発信操作が行われた場合(Ｓ２Ａ、ＹＥＳ)、ＧＰＳ機能付き携帯電話機３１の制御部はメール送信動作を実行し、基地局３２への上りデータの中に電話番号情報及び位置情報を付加する(Ｓ２Ｂ)。位置情報が付加された上り信号を受信したメインサーバ３３は、受信した位置情報をマナーモード設定有無変換サーバ３４に送信し、マナーモード設定有無変換サーバ３４からマナーモード設定有無情報を取得する（Ｓ３２）。
【００３４】
メインサーバ３３は取得したマナーモード設定有無情報を、ＧＰＳ機能付き携帯電話機３１への下りデータの中に付加し送信する（Ｓ３３）。ＧＰＳ機能付き携帯電話機３１は、マナーモード設定有無情報に応じたマナーモード設定を行う(Ｓ２Ｃ)。マナーモード設定有りの場合は、ＧＰＳ機能付き携帯電話機３１内部のマナーモード設定をＯＮし、マナーモード設定無しの場合は、ＧＰＳ機能付き携帯電話機３１内部のマナーモード設定をＯＦＦする。
【００３５】
次に、入力キーからインターネット接続操作が行われた場合(Ｓ２Ｄ)、ＧＰＳ機能付き携帯電話機３１の制御部はインターネット接続動作を実行し、基地局３２への上りデータの中に位置情報を付加する(Ｓ２Ｅ)。位置情報が付加された上り信号を受信したメインサーバ３３は、受信した位置情報をマナーモード設定有無変換サーバ３４に送信し、マナーモード設定有無変換サーバ３４からマナーモード設定有無情報を取得する（Ｓ３２）。
【００３６】
メインサーバ３３は取得したマナーモード設定有無情報を、ＧＰＳ機能付き携帯電話機３１への下りデータの中に付加し送信する（Ｓ３３）。ＧＰＳ機能付き携帯電話機３１は、マナーモード設定有無情報に応じたマナーモード設定を行う(Ｓ２Ｆ)。マナーモード設定有りの場合は、ＧＰＳ機能付き携帯電話機３１内部のマナーモード設定をＯＮし、マナーモード設定無しの場合は、ＧＰＳ機能付き携帯電話機３１内部のマナーモード設定をＯＦＦする。
【００３７】
本実施形態においては、特定のインターバルで位置情報をメインサーバ３３に送信しているわけではなく、音声発呼、音声着呼、メール着信、メール発信、インターネット接続動作をトリガとするため、マナーモード設定の必要のない位置において、ＧＰＳ機能付き携帯電話機３１による音声発呼、音声着呼、メール着信、メール発信、インターネット接続動作のいずれかを開始し、終了する前にマナーモード設定必要な場所へ移動した場合には、マナーモードは自動で設定されないが、そのようなケースは比較的少なく、また、例えば着信音は音声着呼、メール着信時にのみ鳴動するので、通信の途中からマナーモード設定必要な場所へ移動した場合に対する影響も小さい。
【００３８】
図５は、本発明おけるマナーモード自動設定を選択可能にした実施形態を示している。上記の実施例では、マナーモード設定有無情報を受信したＧＰＳ機能付き携帯電話機３１は受信したマナーモード設定有無情報をもとにマナーモードを自動で設定することを可能としているが、マナーモード自動設定を有効にするか無効にするかを利用者自身が選択可能とすることもできる。
【００３９】
マナーモード自動設定の有効／無効設定は、図５で示すような一般的なメニュー画面にて設定可能とする。利用者によっては常時マナーモードに設定しているケースも考えられ、マナーモード自動設定にしておくと場所によってはマナーモードが解除される場合があるので、利用者の使用用途にあわせて、マナーモード自動設定の有効／無効設定を適宜選択して設定する。
【図面の簡単な説明】
【００４０】
【図１】本発明の実施形態を示すシステム構成図である。
【図２】本実施形態におけるサーバの動作例を示すフローチャートである。
【図３】本実施形態における携帯電話機の動作例を示すフローチャートである。
【図４】本実施形態で用いられる伝送制御手順の例を示す図である。
【図５】本発明おけるマナーモード自動設定を選択可能にした実施形態を示す図である。
【符号の説明】
【００４１】
３１  ＧＰＳ機能付き携帯電話機
３２  基地局
３３  メインサーバ
３４  マナーモード設定有無変換サーバ
３５  ＧＰＳ衛星
【図１】
2006253938.tif 000003
【図２】
2006253938.tif 000004
【図３】
2006253938.tif 000005
【図４】
2006253938.tif 000006
【図５】
2006253938.tif 000007